【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
携帯消費者デバイスであって、
支払い処理システムに関する情報担持領域であって、第１の平面状表面及び基板の反対側の第２の平面状表面の少なくとも１つに位置する情報担持領域を有する基板と、
前部平面体及び後部平面体を含み、該前部平面体及び後部平面体の各々は回転可能に前記基板に結合され、前記前部平面体は前記第１の平面状表面を隠す大きさにされたカバーと、
前記前部平面体を前記後部平面体に結合する耐タンパー性部材と、
を備え、
前記耐タンパー性部材が破断されていないときには、前記耐タンパー性部材は、前記情報担持領域へのアクセスを許す前記カバーの回転を阻止し、
前記耐タンパー性部材が破断されたときには、前記カバーは選択的に前記基板について回転可能であり、前記情報担持領域へのアクセスを許し、又は許さない、
ことを特徴とする携帯消費者デバイス。
【請求項２】
前記カバーは壊れにくく、
前記耐タンパー性部材は壊れやすい、
ことを特徴とする請求項１に記載の携帯消費者デバイス。
【請求項３】
前記基板が、ペイメントカード、トランスポンダ、ギフトカード、ペイロールカード、医療カード、リストバンド、キーチェーンデバイス、社会保障カード、非リローダブルカード、リローダブルカード、アクセスカード、スマートカード、及びスマートメディアカードからなるグループから選択される、
ことを特徴とする請求項１に記載の携帯消費者デバイス。
【請求項４】
前記基板が、前記情報担持領域に対する情報を記憶するための揮発性メモリ及び前記情報担持領域に対する情報を記憶するための不揮発性メモリの少なくとも１つを含む、
ことを特徴とする請求項１に記載の携帯消費者デバイス。
【請求項５】
前記情報担持領域が機械可読領域を含む、
ことを特徴とする請求項１に記載の携帯消費者デバイス。
【請求項６】
前記情報担持領域が個人識別番号を含む、
ことを特徴とする請求項１に記載の携帯消費者デバイス。
【請求項７】
前記情報担持領域が、無線周波数信号の受信、送信、及び送受信の少なくとも１つのためのデバイスを含む、
ことを特徴とする請求項１に記載の携帯消費者デバイス。
【請求項８】
前記情報担持領域が、前記販売時点情報管理端末との電気的通信、磁気的通信、及び光学的通信からなるグループから選択される、前記販売時点情報管理端末との通信を行うための手段を含む、
ことを特徴とする請求項１に記載の携帯消費者デバイス。
【請求項９】
前記情報担持領域によって記憶される情報は、前記支払い処理システムの口座番号、口座名義人の名前、アクティベーション状態、有効期限、確認コード、前記支払い処理システムの口座に関連付けられた値、及び前述の組み合わせからなるグループから選択される、
ことを特徴とする請求項１に記載の携帯消費者デバイス。
【請求項１０】
前記支払い処理システムは、イシュアー、アクワイアラー、取引ハンドラ、加盟店、ユーザ、及びこれらの組み合わせからなるグループから選択されるエンティティを含む、
ことを特徴とする請求項１に記載の携帯消費者デバイス。
【請求項１１】
前記カバーが不透明な材料を含む、
ことを特徴とする請求項１に記載の携帯消費者デバイス。
【請求項１２】
前記カバーが、無線周波数信号シールドを含む、
ことを特徴とする請求項１に記載の携帯消費者デバイス。
【請求項１３】
ヒンジが、前記前部平面体及び前記後部平面体の各々を前記基板に結合する、
ことを特徴とする請求項１に記載の携帯消費者デバイス。
【請求項１４】
携帯消費者デバイスであって、
支払い処理システムに関するペイメントカードであって、無線周波数デバイスと、第１の平面上表面と、反対側の第２の平面状表面とを有するペイメントカードと、
前部平面体及び後部平面体を含み、該前部平面体及び後部平面体の各々は回転可能に前記基板に結合され、前記前部平面体は前記第１の平面状表面を隠す大きさにされたカバーと、
前記前部平面体を前記後部平面体に結合する耐タンパー性部材と、
を備え、
前記耐タンパー性部材が破断されていないときには、前記耐タンパー性部材は、前記支払い処理システムについて前記無線周波数デバイスと販売時点情報管理端末との電子的対話を許す前記カバーの回転を阻止し、
前記耐タンパー性部材が破断されたときには、前記カバーは選択的に前記基板について回転可能であり、前記無線周波数デバイスと前記販売時点情報管理端末との電子的対話を許し、及び許さない、
ことを特徴とする携帯消費者デバイス。
【請求項１５】
前記ペイメントカードが、トランスポンダ、ギフトカード、プリペイドカード、ペイロールカード、医療カード、リストバンド、キーチェーンデバイス、社会保障カード、非リローダブルカード、リローダブルカード、アクセスカード、スマートカード、及びスマートメディアカードからなるグループから選択される、
ことを特徴とする請求項１４に記載の携帯消費者デバイス。
【請求項１６】
携帯消費者デバイスであって、
支払い処理システムに関する情報担持領域であって、第１の平面状表面及び反対側の第２の平面状表面の少なくとも１つに位置する情報担持領域を有するアクティベートされたペイメントカードと、
前部平面体及び後部平面体を含み、該前部平面体及び後部平面体の各々は回転可能に前記アクティベートされたペイメントカードに結合され、前記前部平面体は前記第１の平面状表面を隠す大きさにされ、前記後部平面体は前記アクティベートされたペイメントカードの反対側の第２の平面状表面を隠す大きさを有するカバーと、
前記前部平面体を前記後部平面体に永続的に結合するヒンジと、
を備え、
前記カバーを前記ペイメントカードから離れるように前記ヒンジにおいて枢動させることによって、支払を要求する取引オーソリゼーションリクエストについての情報を、前記情報担持領域から取得することが許可され、
前記カバーを前記ペイメントカードに近づくように前記ヒンジにおいて枢動させることによって、前記販売時点情報管理端末が前記情報を取得することを阻止する、
ことを特徴とする携帯消費者デバイス。
【請求項１７】
耐タンパー性部材を有するペイメントカードから情報を得る方法であって、
情報担持領域を含む前記ペイメントカードを隠し、前記ペイメントカードに回転可能に結合されたカバーの前記耐タンパー性部材を破断する段階と、
前記ペイメントカードについて前記カバー回転させる段階と、
前記情報担持領域と前記支払い処理システムと通信状態にある販売時点情報管理端末とを対話させる段階と、
を含み、
前記耐タンパー性部材が破断されていないときには、前記耐タンパー性部材は、前記情報担持領域へのアクセスを許す前記カバーの回転を阻止し、
前記耐タンパー性部材が破断されたときには、前記カバーは選択的に前記基板について回転可能であり、前記情報担持領域へのアクセスを許し、又は許さない、
ことを特徴とする方法。
【請求項１８】
前記耐タンパー性部材を破断する段階が、前記カバーの一部を前記ペイメントカードに回転可能に結合するヒンジについて前記カバーを回転する段階を含む、
ことを特徴とする請求項１７に記載の方法。
【請求項１９】
前記支払い処理システムに対する、送達のための取引オーソリゼーションリクエスト送信を形成する段階を更に含み、前記送信が、前記販売時点情報管理端末と前記携帯消費者デバイスの情報担持領域との対話から取得された情報を含む、
ことを特徴とする請求項１７に記載の方法。
【請求項２０】
前記販売時点情報管理端末を使用して、前記ペイメントカードに関連付けられイシュアーにより発行された口座についての前記取引の次のオーソリゼーションのために前記ペイメントカードのイシュアーに取引オーソリゼーションリクエストを送信する段階と、
前記取引オーソリゼーションリクエストが承認されたか又は承認されなかったかの指示を前記販売時点情報管理端末で受信する段階と、
前記取引オーソリゼーションリクエストが承認されたか又は承認されなかったかの指示の受信後に、
前記口座をアクティベートする段階、
前記口座を非アクティベートする段階、
前記口座に値をロードする段階、
前記口座に値をリロードする段階、
前記口座に関連付けられた値を遷移させる段階、
前記口座に関連付けられた値を減らす段階、
前記口座に関連付けられた値を増やす段階、
前記口座に関連付けられた値を振り替える段階、
及び前述の段階の組み合わせからなるグループから選択される前記口座の状態を変更する段階と、
を更に含む、
請求項１７に記載の方法。
【請求項２１】
前記支払い処理システムから前記ペイメントカードの取引履歴を受信する段階を更に含み、
前記取引履歴が、前記口座の状態の変更の表示、前記口座のアクティベーションの表示、前記口座の状態の変更と共に起こった値の変化、前記口座の状態変更の日付、前記口座の状態変更が起こされたロケーション、及び前記口座に関連付けられた不正の表示のうちの少なくとも１つを含む、
ことを特徴とする請求項２０に記載の方法。
【請求項２２】
カバーを有するアクティベートされたペイメントカードをロードする方法であって、
前記アクティベートされたペイメントカードに結合された前記カバーを回転させ、支払い処理システムに関する前記アクティベートされたペイメントカード上の情報担持領域を露出させる段階と、
前記アクティベートされたペイメントカードの情報担持領域と、資金について前記アクティベートされたペイメントカードをロードする販売時点情報管理端末とを対話させる段階と、
を含む方法。
【請求項２３】
前記アクティベートされたペイメントカードの情報担持領域と前記販売時点情報管理端末とを対話させる段階が、前記販売時点情報管理端末に前記アクティベートされたペイメントカードの磁気ストライプを通す段階を含む、
ことを特徴とする請求項２２に記載の方法。
【請求項２４】
支払い処理システムに関連付けられた口座についてのデータを含む情報を担持する、ペイメントカードの情報担持領域を隠すカバーの一部を前記ペイメントカードの一部と永続的に結合するヒンジの周りで、前記ペイメントカードに対して前記カバーを枢動させることによって、前記カバーのための耐タンパー性部材を破断する段階と、
前記ペイメントカードの前記情報担持領域と販売時点情報管理端末とを対話させる段階と、
を含み、
前記販売時点情報管理端末は、前記支払い処理システムと通信状態にあり、
前記耐タンパー性部材が破断されていないときには、前記耐タンパー性部材は、前記情報担持領域へのアクセスを許す前記カバーの回転を阻止し、
前記耐タンパー性部材が破断されたときには、前記カバーは選択的に前記基板について回転可能であり、前記情報担持領域へのアクセスを許し、又は許さない、
ことを特徴とする方法。
【請求項２５】
支払い処理システムと通信状態にある販売時点情報管理端末と、
複数の携帯消費者デバイスを陳列するラックと、
を備え
前記各携帯消費者デバイスが、
支払い処理システムに関する情報担持領域であって、第１の平面状表面及び基板の反対側の第２の平面状表面の少なくとも１つに位置する情報担持領域を有する基板と、
前部平面体及び後部平面体を含み、該前部平面体及び後部平面体の各々は回転可能に前記基板に結合され、前記前部平面体は前記第１の平面状表面を隠す大きさにされたカバーと、
前記前部平面体を前記後部平面体に結合する耐タンパー性部材と、
を備え、
前記耐タンパー性部材が破断されていないときには、前記耐タンパー性部材は、前記情報担持領域へのアクセスを許す前記カバーの回転を阻止し、
前記耐タンパー性部材が破断されたときには、前記カバーは選択的に前記基板について回転可能であり、前記情報担持領域へのアクセスを許し、又は許さない、
ことを特徴とする加盟店チェックアウト。
【請求項２６】
前記販売時点情報管理端末が、前記支払い処理システムへの送信を形成し、前記送信は、前記携帯消費者デバイスの領域との前記販売時点情報管理端末の対話から取得された情報を含む、
ことを特徴とする請求項２５に記載の加盟店チェックアウト。